(57)【要約】  供給された映像信号に対して複数の特徴を解析し、その解析結果に対応した最適化データが最適化情報サーバに存在する場合に最適化情報サーバからその最適化データを取得し、最適化データに基づいて映像信号を補正し、補正後の映像信号に応じて表示器を駆動する表示装置及び映像最適化方法。
2009118890.tif 000002
【特許請求の範囲】
【請求項１】
表示器に表示される映像を最適化する映像最適化機能を備えた表示装置であって、
供給された映像信号に対して複数の特徴を解析する解析手段と、
前記解析手段による解析結果に対応した最適化データが最適化情報サーバに存在する場合に前記最適化情報サーバからその最適化データを取得するデータ取得手段と、
前記データ取得手段によって取得された最適化データに基づいて前記映像信号を補正する補正手段と、
前記補正手段によって補正された前記映像信号に応じて前記表示器を駆動する駆動手段と、を備えたことを特徴とする表示装置。
【請求項２】
前記データ取得手段は、ジャンル毎の映像信号の解析データを予め記憶したメモリと、
前記解析手段による解析結果と類似した解析データに対応したジャンルが前記メモリに存在するか否かを判別するジャンル判別手段と、
前記解析手段による解析結果と類似した解析データに対応したジャンルが前記メモリに存在するときにはその対応したジャンルを前記映像信号が示すコンテンツのジャンルと決定するジャンル決定手段と、
前記ジャンル決定手段によって決定されたジャンルについての最適化データが前記最適化情報サーバに存在する場合に前記最適化情報サーバからその最適化データのダウンロードを行うダウンロード手段と、
前記解析手段による解析結果と類似した解析データに対応したジャンルが前記メモリに存在しないときには、前記解析手段による解析結果と類似した解析データに対応したジャンルについての最適化データが前記最適化情報サーバに存在するか否かの判別を前記最適化情報サーバに要求する手段と、を備え、
前記最適化情報サーバは前記解析手段による解析結果と類似した解析データに対応したジャンルについての最適化データが存在する場合にはその最適化データを前記データ取得手段に供給することを特徴とする請求項１記載の表示装置。
【請求項３】
前記ダウンロード手段は、ダウンロードを行った最適化データをジャンルに対応させて前記メモリに書き込む手段と、
前記ジャンル決定手段によって決定されたジャンルについての最適化データが前記最適化情報サーバに存在する場合にその最適化データが前記メモリに書き込まれている最適化データより最新のデータであるか否かを判別する手段と、備え、
最新のデータである場合には前記ダウンロードを実行し、最新のデータではない場合には前記メモリからその決定されたジャンルについての最適化データを読み出すことを特徴とする請求項２記載の表示装置。
【請求項４】
前記データ取得手段は、前記映像信号が保存された記録媒体を再生する再生装置から前記記録媒体を特定する媒体番号を取得できたときには、その媒体番号に対応して前記最適化情報サーバから最適化データを取得することを特徴とする請求項１記載の表示装置。
【請求項５】
前記補正手段は、前記表示装置の視聴環境を検出する視聴環境検出手段と、
前記表示装置の視聴者の嗜好情報を検出する嗜好検出手段と、を備え、
前記データ取得手段によって取得された最適化データ、前記視聴環境検出手段によって検出された視聴環境、及び前記嗜好検出手段によって検出された嗜好情報に応じて前記映像信号を補正することを特徴とする請求項１記載の表示装置。
【請求項６】
前記表示装置に接続されて前記映像信号を生成する周辺機器が特定の機種であるか否かを判別する判別手段を含み、
前記周辺機器が特定の機種である場合には前記補正手段は、前記周辺機器及び前記表示装置の双方に備えられた映像信号の補正機能については前記周辺機器及び前記表示装置のうちの性能の高い方のものを用いることを特徴とする請求項１記載の表示装置。
【請求項７】
前記解析手段は、前記映像信号と共に供給された音声信号の複数の特徴を解析し、
前記補正手段は前記データ取得手段によって取得された最適化データに基づいて前記映像信号及び前記音声信号を補正し、
前記駆動手段は、前記補正手段によって補正された前記音声信号に応じてスピーカを駆動することを特徴とする請求項１記載の表示装置。
【請求項８】
表示器に表示される映像を最適化する映像最適化方法であって、
供給された映像信号に対して複数の特徴を解析する解析ステップと、
前記解析ステップにおける解析結果に対応した最適化データが最適化情報サーバに存在する場合に前記最適化情報サーバからその最適化データを取得するデータ取得ステップと、
前記データ取得ステップにおいて取得された最適化データに基づいて前記映像信号を補正する補正ステップと、
前記補正ステップにて補正された前記映像信号に応じて前記表示器を駆動する駆動ステップと、を備えたことを特徴とする映像最適化方法。
【発明の詳細な説明】
【技術分野】
【０００１】
本発明は、表示器に表示される映像を最適化する映像最適化機能を備えた表示装置及び映像最適化方法に関する。
【背景技術】
【０００２】
テレビ受像機の表示器に表示される映像を最適化するためには、視聴者がテレビ受像機に設けられているつまみ等の操作子を操作して映像のコントラスト、輝度、鮮鋭度、色、色相等の各表示特性を所望の状態に調整することが一般的である。例えば、特許文献１には表示特性毎の画像調整画面を表示させてユーザが画像調整画面内の試験パターンを視認しつつ調整する調整方法が示されている。
【特許文献１】特願平１０−１７７３７２号公報
【発明の開示】
【発明が解決しようとする課題】
【０００３】
しかしながら、このような従来の映像最適化は実際に視聴者が観る映像の内容を考慮して行うものではないので、映像の内容によっては最適化な再生映像とはならないことがあるという問題点があった。【０００４】
本発明が解決しようとする課題には、上記の問題点が一例として挙げられ、表示器に表示される映像の内容に対応して映像の最適化を行うことができる表示装置及び映像最適化方法を提供することが本発明の目的である。
【課題を解決するための手段】
【０００５】
請求項１に係る発明の表示装置は、表示器に表示される映像を最適化する映像最適化機能を備えた表示装置であって、供給されたコンテンツの映像信号に対して複数の特徴を解析する解析手段と、前記解析手段による解析結果に対応した最適化データが最適化情報サーバに存在する場合に前記最適化情報サーバからその最適化データを取得するデータ取得手段と、前記データ取得手段によって取得された最適化データに基づいて前記映像信号を補正する補正手段と、前記補正手段によって補正された前記映像信号に応じて前記表示器を駆動する駆動手段と、を備えたことを特徴としている。【０００６】
請求項８に係る発明の映像最適化方法は、表示器に表示される映像を最適化する映像最適化方法であって、供給された映像信号に対して複数の特徴を解析する解析ステップと、前記解析ステップにおける解析結果に対応した最適化データが最適化情報サーバに存在する場合に前記最適化情報サーバからその最適化データを取得するデータ取得ステップと、前記データ取得ステップにおいて取得された最適化データに基づいて前記映像信号を補正する補正ステップと、前記補正ステップにて補正された前記映像信号に応じて前記表示器を駆動する駆動ステップと、を備えたことを特徴としている。
【発明を実施するための最良の形態】
【０００７】
請求項１に係る発明の表示装置及び請求項８に係る発明の映像最適化方法においては、供給された映像信号に対して複数の特徴を解析すると、その解析結果は映像のジャンルの如き内容を表すことになるので、解析結果に対応した最適化データを最適化情報サーバから取得して最適化データに基づいて映像信号を補正することにより、表示器に表示される映像の内容に対応して映像の最適化を行うことができる。
【図面の簡単な説明】
【０００８】
【図１】本発明の実施例を示すブロック図である。
【図２】最適化動作を示すフローチャートである。
【図３】図２の最適化動作の続き部分を示すフローチャートである。
【主要部分の符号の説明】
【０００９】
１  ディスク再生装置
２  テレビ受像機
１７  ディスプレイパネル
３１  最適化情報サーバ
３５  ネットワーク
【実施例】
【００１０】
以下、本発明の実施例を図面を参照しつつ詳細に説明する。【００１１】
図１は本発明が適用された映像音声再生システムの構成を示している。この映像音声再生システムは、周辺機器としてのディスク再生装置１、表示装置であるテレビ受像機２とを備えている。【００１２】
ディスク再生装置１はセットされたブルーレイディスク等のディスクを再生して映像信号、音声信号及び制御信号を生成する。【００１３】
テレビ受像機２は、チューナ部１１、映像／音声再生系１２、映像調整部１３、映像駆動部１４、音声調整部１５、音声駆動部１６、ディスプレイパネル１７、スピーカ１８、回線インターフェース部１９、制御部２０、メモリ２１、操作部２２及び映像／音声入出力インターフェース部２３を備えている。【００１４】
チューナ部１１は、制御部２０によって指令されたチャンネルのテレビ放送信号を受信して受信放送信号を映像／音声再生系１２に出力する。映像／音声再生系１２は、チューナ部１１によって受信された放送信号をデコーダ（図示せず）による復号を含む再生処理を行ってディジタル又はアナログの映像信号と音声信号とを生成し、映像信号を映像調整部１３に供給する。映像／音声再生系１２から出力される音声信号は音声調整部１５に供給される。【００１５】
映像調整部１３は、画質補正機能、ＮＲ（ノイズリダクション）機能、及びＩＰ（インタレース画像−プログレッシブ画像）変換機能を含む映像補正機能を有し、それらの機能は制御部１８によって制御される。映像調整部１３は、映像／音声再生系１２又はディスク再生装置１から出力される映像信号を上記の映像補正機能によって補正して映像駆動部１４に供給する。映像駆動部１４は映像調整部１３から出力される補正後の映像信号に応じてディスプレイパネル１７を駆動してディスプレイパネル１７の表示面に映像信号が示す映像を表示させる。【００１６】
音声調整部１５は、音質補正のためにイコライザ機能を有し、映像／音声再生系１２又はディスク再生装置１から出力される音声信号を補正して音声駆動部１６に供給する。音声駆動部１６は音声調整部１５から出力される補正後の音声信号に応じてスピーカ１８を駆動してスピーカ１８から音声信号による音響出力を生成させる。【００１７】
回線インターフェース部１９は、最適化情報サーバ３１、ＥＰＧ（電子番組ガイド）情報サーバ３２等の外部の情報サーバにネットワーク３５を介してアクセスして再生設定情報データやＥＰＧデータを受信する。【００１８】
制御部２０は、例えば、マイクロコンピュータからなり、テレビ放送信号に含まれるＥＰＧデータ等の情報データをチューナ部１１から取得すると共に回線インターフェース部１９からも再生設定情報等の情報データを取得する。メモリ２１には、情報データが保存される。【００１９】
制御部２０はテレビ受像機２の各部の動作を制御する。また、制御部２０は上記したように映像調整部１３の各機能を制御して画質の最適化を行い、音声調整部１５のイコライザ機能を制御して音質の最適化を行う。【００２０】
また、制御部２０は映像／音声入出力インターフェース部２３を介してディスク再生装置１に接続されている。制御部２０にはディスク再生装置１から出力された制御信号が映像／音声入出力インターフェース部２３を介して供給されると共に制御部２０からの制御信号が映像／音声入出力インターフェース部２３を介してディスク再生装置１に供給される。【００２１】
映像／音声入出力インターフェース部２３はディスク再生装置１から出力された映像信号及び音声信号を映像／音声再生系１２に供給する。映像／音声再生系１２は映像／音声入出力インターフェース部２３からの映像信号及び音声信号を再生処理して映像信号を映像調整部１３に供給し、音声信号を音声調整部１５に供給する。なお、映像／音声入出力インターフェース部２３は例えば、ＨＤＭＩ規格のインターフェース機能を備えている。【００２２】
操作部２２はユーザの操作に応じて外部入力やチャンネル選択等の各種の指令を制御部２０に供給する。また、操作部２２は特に図示しないが遠隔操作できるようにリモコン送受信器を備えている。【００２３】
かかる構成の映像音声再生システムにおいて、ディスク再生装置１にディスクがセットされると、そのディスク情報が読み出される。読み出されるディスク情報は例えば、ディスク番号である。読み出されたディスク情報は制御部２０に供給される。【００２４】
制御部２０は、ディスク情報が供給されると、最適化動作を開始する。最適化動作においては、図２に示すように、先ず、ソース解析を行う（ステップＳ１）。ソース解析はディスク再生装置１にセットされたディスクに記録された映像信号及び音声信号に対して行われる。映像信号に対しては画像解析（例えば、画像パターン認識、ヒストグラム解析、シーンチェンジ解析、オブジェクト解析）が行われ、音声信号に対しては音声解析が行われる。画像解析の結果としては、(1)白ピーク値、白平均値、白ボトム値、(2)肌色優先面積、(3)画面の動きベクトル、(4)色ヒストグラム、(5)ＳＮピーク値、ＳＮ平均値、ＳＮボトム値、(6)構図検出、(7)字幕有無、時刻表示有無、及びテロップ検出、(8)黒帯検出がある。音声解析の結果としては、(1)再生周波数、(2)音声歪み、(3)音声遅延がある。【００２５】
ステップＳ１のソース解析後、ディスクにはコンテンツ情報が含まれているか否かを判別する（ステップＳ２）。コンテンツ情報は、ディスクに記録されたソースによって表現されるコンテンツのジャンル、タイトル等を示す情報である。ジャンルの種類は例えば、ニュース、スポーツ、映画、ドラムである。【００２６】
コンテンツ情報が含まれていない場合には、メモリ２１にステップＳ１のソース解析結果に対応したジャンルを示す情報が保存されているか否かを判別する（ステップＳ３）。メモリ２１には後述のように解析結果、ジャンル、ディスク情報、及び再生情報（映像及び音声）の最適化データが保存されるので、そのメモリ２１の保存情報と解析結果とをマッチング比較して類似度が閾値より大でかつ最大値となったジャンルが検出される。【００２７】
ステップＳ２でコンテンツ情報が含まれている場合又はステップＳ３でジャンルを示す情報が保存されている場合には、本システムがネットワーク接続環境にあるか否かを判別する（ステップＳ４）。すなわち、この実施例では最適化情報サーバ３１に接続できる環境にあるか否かを判別することが行われる。ネットワーク接続環境にない場合には自己最適化動作を実行する（ステップＳ５）。自己最適化動作ではジャンルが判別されている場合には上記のソース解析（画像解析及び音声解析）の結果がそのジャンルに応じて定められた値になるように映像調整部１３及び音声調整部１５の各調整レベルが設定される。【００２８】
ステップＳ４においてネットワーク接続環境にある場合には最適化情報サーバ３１にアクセスしてディスク情報に対応した最適化データ又はジャンルに対応した最適化データが存在するか否かを判別する（ステップＳ６）。最適化データが存在しない場合には上記のステップＳ５が実行される。最適化データが存在する場合にはその最適化データはメモリ２１に既に保存されているか否かを判別する（ステップＳ７）。メモリ２１に既に保存されている最適化データならば、その最適化データをメモリ２１から読み出す（ステップＳ１４）。メモリ２１に保存されていない最適化データならば、例えば、同一のディスク情報又は同一のジャンルのものでもメモリ２１に保存されたデータより最新のものであった場合には、その最適化データをダウンロードして（ステップＳ８）、それをディスク情報、ジャンル及び解析結果に対応させてメモリ２１に保存する（ステップＳ９）。【００２９】
一方、ステップＳ３でジャンルを示す情報が保存されていいない場合には、本システムがネットワーク接続環境にあるか否かを判別する（ステップＳ１０）。この判別はステップＳ４と同じである。ステップＳ１０でネットワーク接続環境にない場合にはステップＳ５に進んで自己最適化動作が実行される。この自己最適化動作ではジャンルが判別されていないので上記のソース解析の結果が標準値となるように映像調整部１３及び音声調整部１５の各調整レベルが設定される。【００３０】
ステップＳ１０においてネットワーク接続環境にある場合には、最適化情報サーバ３１にアクセスしてソース解析の結果とマッチングするジャンルの最適化データが存在するか否かを判別する（ステップＳ１１）。最適化情報サーバ３１にはジャンル毎にソース解析データが保存されているので、ステップＳ１のソース解析結果とジャンル毎のソース解析データとをマッチング比較して類似度が閾値より大でかつ最大値となったジャンルが検出される。このようにしてジャンルが検出された場合にはそのジャンルに対応した最適化データが存在することになる。マッチングするジャンルの最適化データが存在するならば、その最適化データはメモリ２１に既に保存されているか否かを判別する（ステップＳ１２）。この判別はステップＳ７と同じである。メモリ２１に既に保存されている最適化データならば、その最適化データをメモリ２１から読み出す（ステップＳ１４）。メモリ２１に保存されていない最適化データならば、その最適化データをダウンロードして（ステップＳ１３）、それをディスク情報、ジャンル及び解析結果に対応させてメモリ２１に保存する（ステップＳ９）。ステップＳ１１で最適化データが存在しない場合には上記のステップＳ５が実行される。【００３１】
ステップＳ９又はＳ１４の実行後、図３に示すように、ディスク再生装置１が特定の機種である否かを判別する（ステップＳ１５）。ここで、特定の機種とはテレビ受像機２のメーカと同一メーカのディスク再生装置である。特定の機種でない場合には、テレビ受像機２のユーザである視聴者の視聴環境を検出する（ステップＳ１６）。視聴環境は例えば、テレビ受像機２と視聴者との距離であり、テレビ受像機２の視聴者が操作するリモコン（図示せず）から発せられる信号をテレビ受像機２のが受信することにより測定される。視聴環境はテレビ受像機２が設置された家、車両等の場所、部屋等のスペースの大きさ、そのスペースの明るさ等の他の要素でも良い。また、視聴者が視聴空間についての情報を操作部２２から予め入力して記憶させておき、それをステップＳ１６では読み出しても良い。視聴空間の検出後、視聴者の嗜好情報を読み出す（ステップＳ１７）。視聴者の嗜好情報についても視聴者が操作部２２から予め入力して記憶させておき、それをステップＳ１７では読み出すことが行われる。【００３２】
制御部２０は、ステップＳ１６及びＳ１７で得られた視聴空間の情報及び視聴者の嗜好情報に応じて最適化データを補正し（ステップＳ１８）、補正後の最適化データに応じて映像調整部１３及び音声調整部１５各々の調整レベルを設定する（ステップＳ１９）。これにより、例えば、映像調整部１３のコントラスト、ブライトネス及びＲＧＢバランス各々の調整レベル、並びに音声調整部１５のイコライザによる音質調整レベルの設定が行われる。【００３３】
ディスク再生装置１が特定の機種である場合には、その機種に応じてＮＲ、ＩＰ変換、及び画質補正各々の調整をディスク再生装置１及びテレビ受像機２のうちのいずれで行うか決定する（ステップＳ２０）。ＮＲ、ＩＰ変換、及び画質補正各々の機能はディスク再生装置１及びテレビ受像機２の双方に備えられているので、ディスク再生装置１及びテレビ受像機２のうちのどちらで行うかを決定するものであり、その機能の性能が高い方のものが選択される。例えば、ＮＲの機能についてはテレビ受像機２よりもディスク再生装置１の方の性能が高いならば、ディスク再生装置１が選択される。ＩＰ変換の機能についてはディスク再生装置１よりもテレビ受像機２の方の性能が高いならば、テレビ受像機２が選択される。【００３４】
ステップＳ２０の実行後、テレビ受像機２の視聴空間を検出し（ステップＳ２１）、更に、視聴者の嗜好情報を読み出す（ステップＳ２２）。そして、ステップＳ２１及びＳ２２で得られた視聴空間の情報及び視聴者の嗜好情報に応じて最適化データを補正し（ステップＳ２３）、補正後の最適化データに応じて機能毎にディスク再生装置１又はテレビ受像機２を調整する（ステップＳ２４）。画質及び音質調整の機能毎にステップＳ２０で決定されたディスク再生装置１及びテレビ受像機２のいずれか一方が調整される。例えば、ＮＲの機能についてはディスク再生装置１が選択された場合にはディスク再生装置１のＮＲ調整部（図示せず）の調整レベルが補正後の最適化データに応じて設定される。また、ＩＰ変換の機能についてはテレビ受像機２が選択された場合には、テレビ受像機２のＩＰ変換調整部（図示せず）の調整レベルが補正後の最適化データに応じて設定される。ディスク再生装置１の調整部の制御は制御部２０によって映像／音声入出力インターフェース部２３を介して実行される。【００３５】
このように、上記の実施例においては、ディスク再生装置１から供給された映像信号及び音声信号についてソース解析すると、その解析結果は映像のジャンルの如き内容を表すことになるので、解析結果に対応した最適化データを最適化情報サーバから取得して最適化データに基づいて映像信号及び音声信号を補正することにより、表示器に表示される映像の内容に対応して映像の最適化を行うことができる。【００３６】
なお、上記した実施例においては、ディスク再生装置１にセットされたディスクを再生する場合の最適化動作について説明したが、テレビ受像機２のチューナ部１１で受信された放送番組の最適化動作についても番組単位でソース解析を行うことによりディスク再生の場合と同様に実行することができる。特に、放送番組のＥＰＧデータが得られない地域においては特に有効である。【００３７】
また、視聴環境としては、上記した以外に季節、日時、温度や視聴者の数等の要件を加味しても良い。【００３８】
ディスプレイパネルとしてＰＤＰ（プラズマディスプレイパネル）、液晶パネル、有機ＥＬパネル等のパネルを用いることができる。【００３９】
更に、上記した実施例においてはソース解析をテレビ受像機内の制御部が行っているが、これに限定されず、テレビ受像機の外部接続のＰＣ等の機器にソース解析を行わせるようにしても良い。
【図１】
2009118890.tif 000003
【図２】
2009118890.tif 000004
【図３】
2009118890.tif 000005
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
表示器に表示される映像を最適化する映像最適化機能を備えた表示装置であって、
供給された映像信号に対して複数の特徴を解析する解析手段と、
前記解析手段による解析結果に対応した最適化データが最適化情報サーバに存在する場合に前記最適化情報サーバからその最適化データを取得するデータ取得手段と、
前記データ取得手段によって取得された最適化データに基づいて前記映像信号を補正する補正手段と、
前記補正手段によって補正された前記映像信号に応じて前記表示器を駆動する駆動手段と、を備え、
前記補正手段は、前記表示装置の視聴環境を検出する視聴環境検出手段と、
前記表示装置の視聴者の嗜好情報を検出する嗜好検出手段と、を備え、
前記データ取得手段によって取得された最適化データ、前記視聴環境検出手段によって検出された視聴環境、及び前記嗜好検出手段によって検出された嗜好情報に応じて前記映像信号を補正することを特徴とする表示装置。
【請求項２】
前記データ取得手段は、ジャンル毎の映像信号の解析データを予め記憶したメモリと、
前記解析手段による解析結果と類似した解析データに対応したジャンルが前記メモリに存在するか否かを判別するジャンル判別手段と、
前記解析手段による解析結果と類似した解析データに対応したジャンルが前記メモリに存在するときにはその対応したジャンルを前記映像信号が示すコンテンツのジャンルと決定するジャンル決定手段と、
前記ジャンル決定手段によって決定されたジャンルについての最適化データが前記最適化情報サーバに存在する場合に前記最適化情報サーバからその最適化データのダウンロードを行うダウンロード手段と、
前記解析手段による解析結果と類似した解析データに対応したジャンルが前記メモリに存在しないときには、前記解析手段による解析結果と類似した解析データに対応したジャンルについての最適化データが前記最適化情報サーバに存在するか否かの判別を前記最適化情報サーバに要求する手段と、を備え、
前記最適化情報サーバは前記解析手段による解析結果と類似した解析データに対応したジャンルについての最適化データが存在する場合にはその最適化データを前記データ取得手段に供給することを特徴とする請求項１記載の表示装置。
【請求項３】
前記ダウンロード手段は、ダウンロードを行った最適化データをジャンルに対応させて前記メモリに書き込む手段と、
前記ジャンル決定手段によって決定されたジャンルについての最適化データが前記最適化情報サーバに存在する場合にその最適化データが前記メモリに書き込まれている最適化データより最新のデータであるか否かを判別する手段と、備え、
最新のデータである場合には前記ダウンロードを実行し、最新のデータではない場合には前記メモリからその決定されたジャンルについての最適化データを読み出すことを特徴とする請求項２記載の表示装置。
【請求項４】
前記データ取得手段は、前記映像信号が保存された記録媒体を再生する再生装置から前記記録媒体を特定する媒体番号を取得できたときには、その媒体番号に対応して前記最適化情報サーバから最適化データを取得することを特徴とする請求項１又は２記載の表示装置。
【請求項５】
前記表示装置に接続されて前記映像信号を生成する周辺機器が特定の機種であるか否かを判別する判別手段を含み、
前記周辺機器が特定の機種である場合には前記補正手段は、前記周辺機器及び前記表示装置の双方に備えられた映像信号の補正機能については前記周辺機器及び前記表示装置のうちの性能の高い方のものを用いることを特徴とする請求項１又は２記載の表示装置。
【請求項６】
前記解析手段は、前記映像信号と共に供給された音声信号の複数の特徴を解析し、
前記補正手段は前記データ取得手段によって取得された最適化データ、前記視聴環境検出手段によって検出された視聴環境、及び前記嗜好検出手段によって検出された嗜好情報に応じて前記映像信号及び前記音声信号を補正し、
前記駆動手段は、前記補正手段によって補正された前記音声信号に応じてスピーカを駆動することを特徴とする請求項１記載の表示装置。
【請求項７】
表示器に表示される映像を最適化する表示装置の映像最適化方法であって、
供給された映像信号に対して複数の特徴を解析する解析ステップと、
前記解析ステップにおける解析結果に対応した最適化データが最適化情報サーバに存在する場合に前記最適化情報サーバからその最適化データを取得するデータ取得ステップと、
前記表示装置の視聴環境を検出する視聴環境検出ステップと、
前記表示装置の視聴者の嗜好情報を検出する嗜好検出ステップと、
前記データ取得ステップにおいて取得された最適化データ、前記視聴環境検出ステップにおいて検出された視聴環境、及び前記嗜好検出ステップにおいて検出された嗜好情報に応じて前記映像信号を補正する補正ステップと、
前記補正ステップにて補正された前記映像信号に応じて前記表示器を駆動する駆動ステップと、を備えたことを特徴とする映像最適化方法。
【手続補正２】
【補正対象書類名】明細書
【補正対象項目名】０００５
【補正方法】変更
【補正の内容】
【０００５】
請求項１に係る発明の表示装置は、表示器に表示される映像を最適化する映像最適化機能を備えた表示装置であって、供給されたコンテンツの映像信号に対して複数の特徴を解析する解析手段と、前記解析手段による解析結果に対応した最適化データが最適化情報サーバに存在する場合に前記最適化情報サーバからその最適化データを取得するデータ取得手段と、前記データ取得手段によって取得された最適化データに基づいて前記映像信号を補正する補正手段と、前記補正手段によって補正された前記映像信号に応じて前記表示器を駆動する駆動手段と、を備え、前記補正手段は、前記表示装置の視聴環境を検出する視聴環境検出手段と、前記表示装置の視聴者の嗜好情報を検出する嗜好検出手段と、を備え、前記データ取得手段によって取得された最適化データ、前記視聴環境検出手段によって検出された視聴環境、及び前記嗜好検出手段によって検出された嗜好情報に応じて前記映像信号を補正することを特徴としている。
【手続補正３】
【補正対象書類名】明細書
【補正対象項目名】０００６
【補正方法】変更
【補正の内容】
【０００６】
請求項７に係る発明の映像最適化方法は、表示器に表示される映像を最適化する表示装置の映像最適化方法であって、供給された映像信号に対して複数の特徴を解析する解析ステップと、前記解析ステップにおける解析結果に対応した最適化データが最適化情報サーバに存在する場合に前記最適化情報サーバからその最適化データを取得するデータ取得ステップと、前記表示装置の視聴環境を検出する視聴環境検出ステップと、前記表示装置の視聴者の嗜好情報を検出する嗜好検出ステップと、前記データ取得ステップにおいて取得された最適化データ、前記視聴環境検出ステップにおいて検出された視聴環境、及び前記嗜好検出ステップにおいて検出された嗜好情報に応じて前記映像信号を補正する補正ステップと、前記補正ステップにて補正された前記映像信号に応じて前記表示器を駆動する駆動ステップと、を備えたことを特徴としている。
【手続補正４】
【補正対象書類名】明細書
【補正対象項目名】０００７
【補正方法】変更
【補正の内容】
【０００７】
請求項１に係る発明の表示装置及び請求項７に係る発明の映像最適化方法においては、供給された映像信号に対して複数の特徴を解析すると、その解析結果は映像のジャンルの如き内容を表すことになるので、解析結果に対応した最適化データを最適化情報サーバから取得して最適化データ、表示装置の視聴環境及び表示装置の視聴者の嗜好情報に応じて映像信号を補正することにより、表示器に表示される映像の内容に対応して映像の最適化を行うことができる。
【国際調査報告】
2009118890.tif 000006
2009118890.tif 000007
2009118890.tif 000008
2009118890.tif 000009